(57)【要約】【課題】従来の寄せ書き習慣および現在の電子技術のよい点を融合させた寄せ書きシステム提供サーバ、寄せ書きシステム提供方法、および、寄せ書きシステム提供プログラムを提供する。【解決手段】幹事が選択した寄せ書き画像データを寄せ書き案件情報ＤＢに書き込むステップと、寄せ書きを送る相手や寄せ書きを依頼する他の参加者の情報を寄せ書き案件情報ＤＢに書き込むステップと、他の参加者に招待メールを送信するステップと、他の参加者からのメッセージを受け付けるステップと、メッセージの受け付けを締め切り、締め切ったことを幹事に通知するステップと、幹事に寄せ書きの発信形態を選択してもらうとともに、寄せ書きの受取人の連絡先を受け付けるステップとを実行し、寄せ書き画像を色紙に印刷して受取人に郵送する形態を発信形態に含む、寄せ書きシステム提供サーバが提供される。【選択図】図１
2015133000.tif 000002
【特許請求の範囲】
【請求項１】
参加者の端末との間でデータの送受信を行う通信インターフェイスと、
少なくとも寄せ書き案件情報ＤＢ、および、複数の寄せ書き画像データを記憶するメモリと、
前記通信インターフェイスおよび前記メモリを動作させるＣＰＵとを備えており、
前記ＣＰＵは、
幹事である参加者が選択した前記寄せ書き画像データを前記寄せ書き案件情報ＤＢに書き込むステップと、
前記幹事から受けた、寄せ書きを送る相手や寄せ書きを依頼する他の参加者の情報を前記寄せ書き案件情報ＤＢに書き込むステップと、
前記他の参加者に寄せ書きを依頼する招待メールを送信するステップと、
前記他の参加者からのメッセージを受け付けて、各メッセージを前記寄せ書き案件情報ＤＢに書き込むステップと、
メッセージの受け付けを締め切り、締め切ったことを前記幹事に通知するステップと、
前記幹事に寄せ書きの発信形態を選択してもらうとともに、寄せ書きの受取人の連絡先を受け付けるステップとを実行し、
前記発信形態には、寄せ書き画像を色紙に印刷して前記受取人に郵送する形態を含んでいる、寄せ書きシステム提供サーバ。
【請求項２】
参加者の端末との間でデータの送受信を行う通信インターフェイスと、
少なくとも寄せ書き案件情報ＤＢ、および、複数の寄せ書き画像データを記憶するメモリと、
前記通信インターフェイスおよび前記メモリを動作させるＣＰＵとを備えるコンピュータにおける、寄せ書きシステム提供方法であって、
幹事である参加者が選択した前記寄せ書き画像データを前記寄せ書き案件情報ＤＢに書き込むステップと、
前記幹事から受けた、寄せ書きを送る相手や寄せ書きを依頼する他の参加者の情報を前記寄せ書き案件情報ＤＢに書き込むステップと、
前記他の参加者に寄せ書きを依頼する招待メールを送信するステップと、
前記他の参加者からのメッセージを受け付けて、各メッセージを前記寄せ書き案件情報ＤＢに書き込むステップと、
メッセージの受け付けを締め切り、締め切ったことを前記幹事に通知するステップと、
前記幹事に寄せ書きの発信形態を選択してもらうとともに、寄せ書きの受取人の連絡先を受け付けるステップとを有しており、
前記発信形態には、寄せ書き画像を色紙に印刷して前記受取人に郵送する形態を含んでいる、寄せ書きシステム提供方法。
【請求項３】
参加者の端末との間でデータの送受信を行う通信インターフェイスと、
少なくとも寄せ書き案件情報ＤＢ、および、複数の寄せ書き画像データを記憶するメモリと、
前記通信インターフェイスおよび前記メモリを動作させるＣＰＵとを備えるコンピュータで実行される寄せ書きシステム提供プログラムであって、
幹事である参加者が選択した前記寄せ書き画像データを前記寄せ書き案件情報ＤＢに書き込むステップと、
前記幹事から受けた、寄せ書きを送る相手や寄せ書きを依頼する他の参加者の情報を前記寄せ書き案件情報ＤＢに書き込むステップと、
前記他の参加者に寄せ書きを依頼する招待メールを送信するステップと、
前記他の参加者からのメッセージを受け付けて、各メッセージを前記寄せ書き案件情報ＤＢに書き込むステップと、
メッセージの受け付けを締め切り、締め切ったことを前記幹事に通知するステップと、
前記幹事に寄せ書きの発信形態を選択してもらうとともに、寄せ書きの受取人の連絡先を受け付けるステップとを有しており、
前記発信形態には、寄せ書き画像を色紙に印刷して前記受取人に郵送する形態を含んでいる、寄せ書きシステム提供プログラム。
【発明の詳細な説明】
【技術分野】
【０００１】
本発明は、複数の参加者からのメッセージが記載された寄せ書きを所定の受取人に送信／送付するための寄せ書きシステム提供サーバ、寄せ書きシステム提供方法、および、寄せ書きシステム提供プログラムに関する。
【背景技術】
【０００２】
従来から、卒業、退職、結婚といった機会に友人たちが寄せ書きを贈ることが習慣的に行われている。一般的に、寄せ書きは、台紙（色紙）を手配した幹事が寄せ書きを記入する参加者に回していき、全員に回ったところで完成するようになっていた。
【０００３】
このような従来の寄せ書きのやり方に対し、電子技術を利用した寄せ書きシステムが開発されている（例えば、特許文献１）。
【先行技術文献】
【特許文献】
【０００４】
【特許文献１】特開２００６−１２７０１３号公報
【発明の概要】
【発明が解決しようとする課題】
【０００５】
しかしながら、特許文献１に開示された寄せ書きシステムは、参加者から集めたメッセージをまとめてタブレットコンピュータに表示するだけであり、参加者および受取人によってはやや味気なさを感じるおそれがあった。
【０００６】
本発明は、かかる課題を解決するためになされたものであり、その目的は、従来の寄せ書き習慣および現在の電子技術のよい点を融合させた寄せ書きシステム提供サーバ、寄せ書きシステム提供方法、および、寄せ書きシステム提供プログラムを提供することにある。
【課題を解決するための手段】
【０００７】
この発明のある態様に従うと、参加者の端末との間でデータの送受信を行う通信インターフェイスと、少なくとも寄せ書き案件情報ＤＢ、および、複数の寄せ書き画像データを記憶するメモリと、通信インターフェイスおよびメモリを動作させるＣＰＵとを備えており、ＣＰＵは、幹事である参加者が選択した寄せ書き画像データを寄せ書き案件情報ＤＢに書き込むステップと、幹事から受けた、寄せ書きを送る相手や寄せ書きを依頼する他の参加者の情報を寄せ書き案件情報ＤＢに書き込むステップと、他の参加者に寄せ書きを依頼する招待メールを送信するステップと、他の参加者からのメッセージを受け付けて、各メッセージを寄せ書き案件情報ＤＢに書き込むステップと、メッセージの受け付けを締め切り、締め切ったことを幹事に通知するステップと、幹事に寄せ書きの発信形態を選択してもらうとともに、寄せ書きの受取人の連絡先を受け付けるステップとを実行し、発信形態には、寄せ書き画像を色紙に印刷して受取人に郵送する形態を含んでいる、寄せ書きシステム提供サーバが提供される。
【０００８】
この発明の別の態様に従うと、参加者の端末との間でデータの送受信を行う通信インターフェイスと、少なくとも寄せ書き案件情報ＤＢ、および、複数の寄せ書き画像データを記憶するメモリと、通信インターフェイスおよびメモリを動作させるＣＰＵとを備えるコンピュータにおける、寄せ書きシステム提供方法が提供される。寄せ書きシステム提供方法は、ＣＰＵが、幹事である参加者が選択した寄せ書き画像データを寄せ書き案件情報ＤＢに書き込むステップと、幹事から受けた、寄せ書きを送る相手や寄せ書きを依頼する他の参加者の情報を寄せ書き案件情報ＤＢに書き込むステップと、他の参加者に寄せ書きを依頼する招待メールを送信するステップと、他の参加者からのメッセージを受け付けて、各メッセージを寄せ書き案件情報ＤＢに書き込むステップと、メッセージの受け付けを締め切り、締め切ったことを幹事に通知するステップと、幹事に寄せ書きの発信形態を選択してもらうとともに、寄せ書きの受取人の連絡先を受け付けるステップとを有しており、発信形態には、寄せ書き画像を色紙に印刷して受取人に郵送する形態を含んでいる。
【０００９】
この発明の別の態様に従うと、参加者の端末との間でデータの送受信を行う通信インターフェイスと、少なくとも寄せ書き案件情報ＤＢ、および、複数の寄せ書き画像データを記憶するメモリと、通信インターフェイスおよびメモリを動作させるＣＰＵとを備えるコンピュータで実行される寄せ書きシステム提供プログラムが提供される。寄せ書きシステム提供プログラムは、幹事である参加者が選択した寄せ書き画像データを寄せ書き案件情報ＤＢに書き込むステップと、幹事から受けた、寄せ書きを送る相手や寄せ書きを依頼する他の参加者の情報を寄せ書き案件情報ＤＢに書き込むステップと、他の参加者に寄せ書きを依頼する招待メールを送信するステップと、他の参加者からのメッセージを受け付けて、各メッセージを寄せ書き案件情報ＤＢに書き込むステップと、メッセージの受け付けを締め切り、締め切ったことを幹事に通知するステップと、幹事に寄せ書きの発信形態を選択してもらうとともに、寄せ書きの受取人の連絡先を受け付けるステップとを有しており、発信形態には、寄せ書き画像を色紙に印刷して前記受取人に郵送する形態を含んでいる。
【発明の効果】
【００１０】
以上のように、この発明によれば、従来の寄せ書き習慣および現在の電子技術のよい点を融合させた寄せ書きシステム提供サーバ、寄せ書きシステム提供方法、および、寄せ書きシステム提供プログラムが提供される。
【図面の簡単な説明】
【００１１】
【図１】本実施形態にかかる寄せ書きシステムの動作概要を示す簡略イメージ図である。
【図２】本実施形態にかかるサーバのハードウェア構成を示すブロック図である。
【図３】本実施形態にかかるメモリ内に蓄積された情報の内容を示すブロック図である。
【図４】本実施形態にかかるユーザ情報ＤＢに蓄積される情報を示すイメージ図である。
【図５】本実施形態にかかる寄せ書き案件情報ＤＢに蓄積される情報を示すイメージ図である。
【図６】本実施形態にかかるサーバの処理手順を示すフローチャートである。
【図７】本実施形態にかかる所定の寄せ書き案件において参加者にメッセージを記入してもらうステップにおける処理手順を示すフローチャートである。
【発明を実施するための形態】
【００１２】
以下、図面を参照しつつ、本発明の実施形態について説明する。以下の説明では、同一の部品には同一の符号を付してある。それらの名称および機能も同じである。したがって、それらについての詳細な説明は繰り返さない。
【００１３】
また、以下では、寄せ書きシステム１に登録している者を「ユーザ」といい、個々の寄せ書き案件に参加してメッセージを記入する者を「参加者」という。後述するように、寄せ書きシステム１に登録していなくても（つまり、ユーザでなくても）参加者になることは可能であることから、「参加者」は「ユーザ」よりも広い概念である。
【００１４】
＜寄せ書きシステムの動作概要＞
まず、図１を参照して、本実施形態にかかる寄せ書きシステム１の動作概要について説明する。なお、図１は、本実施形態にかかる寄せ書きシステム１の動作概要を示す簡略イメージ図である。
【００１５】
寄せ書きシステム１は、主にインターネットを介して端末２、５、７、９に寄せ書き用のメッセージを書き込む画面等を表示させるとともに、寄せ書きにメッセージを書き込むユーザの情報や寄せ書きの情報を蓄積するデータベース（以下、単に「ＤＢ」と記載する。）を備えるサーバ１００で構成されている。なお、サーバ１００は、単一のコンピュータであってもよいし、複数のコンピュータを連携させることによってサーバ１００の機能を実現してもよい。
【００１６】
また、本実施例では、端末２、５、７、９として、インターネットエクスプローラ（商標）やサファリ（商標）等のブラウザを実行可能であり、かつ、電子メールの送受信が可能なソフトウェアを実行可能なパーソナルコンピュータ（以下、単に「ＰＣ」と記載する。）を例にとって説明するが、端末２、５、７、９はＰＣに限定されず、スマートフォン等の携帯電子端末やゲーム機であってもよい。すなわち、端末２、５、７、９は、サーバ１００に接続することのできる環境を有するものであればどのようなものであってもよい。
【００１７】
誕生日や結婚記念日等の機会に寄せ書きを贈ろうと思い立った参加者Ａは、端末２を使用してサーバ１００にアクセスする。サーバ１００内には、寄せ書きのフォーマットである複数種類の「寄せ書き画像データ」が蓄積されているので、参加者Ａは好みの寄せ書き画像データを選択する。さらに、参加者Ａは、寄せ書きに記載するメッセージを書いてもらう参加者（寄せ書きシステム１のユーザである場合はもちろん、ユーザでなくてもよい）のメールアドレス等を設定することにより、サーバ１００は参加者に対してメール等の手段でメッセージの記入を依頼する。
【００１８】
参加者からのメッセージが集まった後、参加者Ａは寄せ書きの発信形態を選択する。参加者Ａが選択した発信形態に応じて、サーバ１００は寄せ書きの受取人に寄せ書きを送信／送付する。なお、寄せ書きの発信形態には、特定のＵＲＬを受取人に送信してＷＥＢ上で寄せ書き画像を閲覧してもらう形態、寄せ書き画像をＰＤＦデータとして受取人に送信する形態、あるいは、寄せ書き画像を色紙等に印刷して受取人に郵送する形態等が考えられる。
【００１９】
＜寄せ書きシステムのハードウェアの全体構成＞
次に、本実施形態にかかる寄せ書きシステム１のハードウェアの全体構成について説明する。図１に示すように、寄せ書きシステム１は、１または複数のサーバ１００と、複数の端末２、５、７、９と、サーバ１００と端末２とを互いに通信可能にするネットワーク３とで構成される。以下では、ネットワーク３の代表例として「インターネット３」と記載するが、もちろんこれに限定する意図ではない。
【００２０】
＜サーバ１００の具体的な構成＞
以下、このような機能を実現するためのサーバ１００の各部の具体的な構成について詳述する。
【００２１】
まず、サーバ１００の具体的構成の一態様について説明する。図２は、本実施形態にかかるサーバ１００のハードウェア構成を示すブロック図である。図２を参照して、サーバ１００は、主たる構成要素として、ＣＰＵ２００と、メモリ２０２と、ディスプレイ２０４と、ポインティングデバイス２０６と、通信インターフェイス２０８とを備えている。
【００２２】
ＣＰＵ２００は、メモリ２０２あるいは外部の記憶媒体に記憶されているプログラムを実行することによってサーバ１００の各部を制御する。また、ＣＰＵ２００は、メモリ２０２あるいは外部の記憶媒体に記憶されているプログラムを実行することによって、後述する機能および図６〜図７に記載の各ステップを実現する。
【００２３】
ディスプレイ２０４は、ＣＰＵ２００からの信号に基づいて、文字や画像を表示する。また、ディスプレイ２０４は、ソフトウェアキーボード等のボタンも表示することができる。
【００２４】
ポインティングデバイス２０６は、ハードウェアキーボードであってもよく、いわゆる入力装置であればよい。このポインティングデバイス２０６は、ユーザからの命令を受け付けて、当該命令をＣＰＵ２００に入力する。
【００２５】
なお、ディスプレイ２０４とポインティングデバイス２０６は、タッチパネルであってもよい。また、タッチパネルは、抵抗膜方式、表面弾性波方式、赤外線方式、電磁誘導方式、静電容量方式といったいずれのタイプであってもよい。タッチパネルは、所定時間毎に外部の物体によるタッチパネルへのタッチ操作を検知して、タッチ座標をＣＰＵ２００に入力する。
【００２６】
メモリ２０２は、各種のＲＡＭ(Random Access Memory)や、各種のＲＯＭ(Read-Only
Memory)等によって実現される。なお、メモリ２０２は、ＵＳＢ（商標）メモリ、ＣＤ、ＤＶＤ、メモリカード、ＦＤ、ハードディスク、磁気テープ、カセットテープ、ＭＯ、ＭＤ、ＩＣカード、光カード、マスクＲＯＭ、ＥＰＲＯＭ、ＥＥＰＲＯＭ等の、インターフェイスを介して利用される記憶媒体によっても実現される。
【００２７】
メモリ２０２は、ＣＰＵ２００によって実行されるプログラムや、ＣＰＵ２００によるプログラムの実行により生成されるデータ、ポインティングデバイス２０６を介して入力されたデータ、後述するＤＢ等を記憶・蓄積する。
【００２８】
本実施形態において、図３に示すように、メモリ２０２には、寄せ書きにメッセージを書き込む複数のユーザの情報を蓄積するユーザ情報ＤＢ１０４、各寄せ書き案件における寄せ書きの内容や当該寄せ書きに参加した参加者等の情報を蓄積する寄せ書き案件情報ＤＢ１０６、予め用意しておく寄せ書きのフォーマットである複数の寄せ書き画像データ１０８、および、メッセージ等の入力を行う際に各参加者の端末２、５、７、９に表示される複数種類の画面データ１１０が記憶されている。なお、複数の寄せ書き画像データ１０８には、それぞれ固有のＩＤ（寄せ書き画像データＩＤ）が付与されている。
【００２９】
図４に示すように、ユーザ情報ＤＢ１０４には、寄せ書きシステム１に登録されたユーザ毎のフレームに、その名前、アイコン写真、メールアドレス、ログインＩＤ、パスワード、そのユーザが幹事として参加している寄せ書き案件のＩＤ、および、招待されて参加している寄せ書き案件のＩＤが格納されている。もちろん、ユーザ情報ＤＢ１０４に格納される情報はこれだけに限定されるものではなく、例えば、各ユーザが有する、フェイスブックやツイッターといったＳＮＳ(Social Networking Service)のアカウントを含めてもよい。
【００３０】
図５に示すように、寄せ書き案件情報ＤＢ１０６における寄せ書き案件毎に付与されたフレームには、寄せ書き案件毎に付与された固有の寄せ書き案件ＩＤ、その寄せ書き案件に使用される（幹事が選択した）寄せ書き画像データＩＤ、その寄せ書き案件に参加している参加者の連絡先（メールアドレス等）が記載された参加者リスト、各参加者が記入したメッセージ内容、幹事が選択した寄せ書き発信形態情報、および、寄せ書きの届け先情報が格納されている。もちろん、寄せ書き案件情報１０６に格納される情報はこれだけに限定されるものではない。
【００３１】
図２に戻り、ＣＰＵ２００は、メモリ２０２だけでなく、外部の記憶媒体に格納されているデータにアクセスすることもできる。具体的には、ＣＰＵ２００は、通信インターフェイス２０８等を介して外部の記憶媒体に格納されているデータを読み出して、当該データをメモリ２０２に格納してもよい。逆に、ＣＰＵ２００は、メモリ２０２からデータを読み出して、通信インターフェイス２０８を介して当該データを外部の記憶媒体に格納してもよい。
【００３２】
通信インターフェイス２０８は、アンテナやコネクタによって実現される。通信インターフェイス２０８は、有線あるいは無線通信によって他の装置との間でデータをやり取りする。ＣＰＵ２００は、通信インターフェイス２０８を介して、他の装置からプログラムや画像データやテキストデータ等を受信したり、他の装置に画像データやテキストデータや制御データ等を送信したりする。
【００３３】
ＣＰＵ２００は、通信インターフェイス２０８を利用することによってインターネットを介して、端末２、５、７、９からの要求を受け付けたり、端末２、５、７、９に画像データを送信したりする。
【００３４】
＜サーバ１００の処理手順＞
次に、サーバ１００による処理手順について説明する。図６は、本実施形態にかかるサーバ１００の処理手順を示すフローチャートである。
【００３５】
図６を参照して、ＣＰＵ２００は、通信インターフェイス２０８を介して、例えば、端末２からサーバ１００へのアクセスがあったか否かを判断する（ステップＳ３００）。端末２からサーバ１００へのアクセスがない場合（ステップＳ３００にてＮＯである場合）、ＣＰＵ２００はステップＳ３００を繰り返す。
【００３６】
端末２からサーバ１００へのアクセスがあった場合（ステップＳ３００にてＹＥＳである場合）、ＣＰＵ２００は、メモリ２０２からログイン画像（画面データ１１０のひとつ）を取り出し、通信インターフェイス２０８を介して当該端末２にログイン画像を送信する。
【００３７】
寄せ書きシステム１のユーザでもある参加者Ａは、サーバ１００からログイン画像を受信した端末２にログインＩＤおよびパスワードを入力し、これらをサーバ１００に送信する。参加者Ａから送信されたログインＩＤおよびパスワードを受け取ったＣＰＵ２００は、メモリ２０２に格納されたユーザ情報ＤＢ１０４の中から、このログインＩＤおよびパスワードに合致するメンバーを検索することにより参加者Ａを特定する（ステップＳ３０２）。万一、ログインＩＤおよびパスワードに合致するメンバーがヒットしなかった場合、ＣＰＵ２００はエラーメッセージ画像（画面データ１１０のひとつ）を端末２に送信する。
【００３８】
なお、ユーザがログインする方法については、上述のように、寄せ書きシステム１独自のログインＩＤおよびパスワードのセットを用いてもよいし、ユーザ情報ＤＢ１０４に既存のＳＮＳのアカウント情報が格納されている場合には、ユーザ（参加者Ａ）にこのアカウント情報を入力させることによってユーザを特定するようにしてもよい。もちろん、複数種類のアカウント情報を格納しておき、いずれか一つのアカウント情報を合致させることでユーザを特定するようにしてもよい。
【００３９】
ＣＰＵ２００が参加者Ａを特定できた場合、次に、ＣＰＵ２００は、端末２に対して「新規の寄せ書き案件を作成するか否か」について問い合わせる画像データ（画面データ１１０のひとつ）を送信する（ステップＳ３０４）。
【００４０】
ステップＳ３０４にて、参加者Ａが「新規の寄せ書き案件を作成する」信号をサーバ１００に送信した場合（ステップＳ３０４にてＹＥＳを選択した場合）、当該信号を受けたＣＰＵ２００は、メモリ２０２に格納している複数の寄せ書き画像データを端末２に送信するとともに、参加者Ａにいずれか１つの寄せ書き画像データを選択するように促す（ステップＳ３０６）。
【００４１】
なお、ステップＳ３０４にて、参加者Ａが「新規の寄せ書き案件を作成しない」、すなわち、他のユーザが幹事となっている別の寄せ書き案件に招待されて参加する場合（ステップＳ３０４にてＮＯを選択した場合）については後述する。
【００４２】
端末２から寄せ書き画像データを選択した旨の信号が送られてきたとき、ＣＰＵ２００は、寄せ書き案件情報ＤＢ１０６に新しい寄せ書き案件のフレームを用意し、選択された寄せ書き画像データが有する固有のＩＤを当該寄せ書き案件の情報として当該フレームに書き込む。これに続けて、ＣＰＵ２００は、当該寄せ書き案件の「基本情報」を参加者Ａに入力してもらうための画面データ（画面データ１１０のひとつ）を端末２に送信する（ステップＳ３１０）。
【００４３】
この画面データには、参加者Ａが先ほど選択した寄せ書き画像データが表示されているとともに、「基本情報」である、寄せ書きの届け先（送る相手）、寄せ書きのタイトル、寄せ書きの中央に記載するメインメッセージ、参加者からのメッセージを受け付ける期間の末日（受付期間末日）、参加者に寄せ書きをお誘いするための勧誘メッセージ、および、参加者のメールアドレスを記入するフォームが含まれている。さらに、幹事（＝参加者Ａ）のみが参加者を招待できるようにするか否かについてのチェックがある。もちろん、「基本情報」はこれらに限られるものではない。
【００４４】
端末２から「基本情報」が返送されてきたとき、ＣＰＵ２００は、当該寄せ書き案件への招待メールを送信する参加者の連絡先（メールアドレス等）等の情報の入力を促す画像データ（画面データ１１０のひとつ）を端末２に送信する（ステップＳ３１４）。招待メールを送信する参加者の特定は、メモリ２０２に記憶されているユーザ情報ＤＢ１０４に格納された、名前、メールアドレス、あるいは、ＳＮＳのアカウントを利用して行うことができる。また、ユーザ情報ＤＢ１０４に未だ登録されていない参加者を招待する場合には、その参加者のメールアドレス（ユーザ情報ＤＢ１０４に登録されているものではない）等を指定することによって特定することが考えられる。
【００４５】
端末２から当該情報が送られてきたとき、ＣＰＵ２００は、各参加者が既にユーザ情報ＤＢ１０４に登録されているか否かを判別し、既に登録されている場合には、当該参加者（ユーザ）の「招待されて参加している寄せ書き案件のＩＤ」に当該寄せ書き案件固有のＩＤを追加する。然る後、ＣＰＵ２００は、各参加者のメールアドレスやＳＮＳアカウントに対して、参加者Ａから寄せ書き案件に招待されている旨、および、当該寄せ書き案件にメッセージを記入するサイトに接続するためのＵＲＬを記したメールを送信する（ステップＳ３１８）。
【００４６】
この段階に至り、参加者Ａによる作業は一旦終了し、招待メールを受信した参加者が当該寄せ書き案件にメッセージを記入するのを待つことになる（ステップＳ３２０）。この「参加者によるメッセージ記入ステップ（＝ステップＳ３２０）」については後述する。
【００４７】
ＣＰＵ２００は、各寄せ書き案件に設定された受付期間末日を常時チェックしており（ステップＳ３２２）、受付期間末日に到達するまで（ステップＳ３２２にてＮＯである場合）、ＣＰＵ２００はステップＳ３２２を繰り返す。なお、受付期間末日に到達する前であっても、参加者Ａからの指令によってメッセージの記入を締め切る（＝ステップＳ３２２をＹＥＳで進める）ことができるようになっている。逆に、参加者Ａからの指令により、一旦設定した受付期間末日を先に延ばす（あらためて受付期間末日を設定する）こともできるようになっている。
【００４８】
ステップＳ３２２がＹＥＳとなった場合、ＣＰＵ２００は、参加者Ａの端末２等に対してメール等を送信し、メッセージの記入が締め切られたことを知らせるとともに、当該寄せ書き案件の発信形態や届け先の入力を促す（ステップＳ３２４）。参加者Ａは端末２等を用いて、サーバ１００に当該寄せ書き案件による寄せ書きの発信形態、および、届け先（受取人のメールアドレスや住所等）を送信する。
【００４９】
寄せ書きの発信形態には、（１）特定のＵＲＬを受取人に送信してＷＥＢ上で寄せ書き画像を閲覧してもらう形態、（２）寄せ書き画像をＰＤＦデータとして受取人に送信する形態、あるいは、（３）寄せ書き画像を色紙等に印刷して受取人に郵送する形態等が考えられる。もちろん、発信形態は上記（１）〜（３）に限定されるものではない。
【００５０】
参加者Ａが上記（１）または（２）の発信形態を選択する場合、参加者Ａに記入してもらう「届け先」は受取人のメールアドレスだけでよいし、上記（３）の発信形態を選択する場合は受取人の住所等を記入してもらうだけでよいことはいうまでもない。
【００５１】
参加者Ａから寄せ書きの発信形態、および、届け先の情報を受け取ったＣＰＵ２００は、発信形態が上記（１）または（２）の場合、直ちに受取人のメールアドレスに必要なデータを送信する（ステップＳ３２６）。また、発信形態が上記（３）の場合、ＣＰＵ２００は直ちに提携する印刷業者へ寄せ書きの画像データや受取人の住所等を送信する。
【００５２】
ステップＳ３２６による送信をもって１つの寄せ書き案件の処理が完了する。
【００５３】
＜参加者によるメッセージ記入ステップ（Ｓ３２０）＞
次に、所定の寄せ書き案件において、参加者にメッセージを記入してもらうステップ（ステップＳ３２０）について、図７を用いて詳細に説明する。
【００５４】
所定の寄せ書き案件に招待されている旨、および、当該寄せ書き案件にメッセージを記入するサイトに接続するためのＵＲＬを記したメールを受け取った参加者Ｂが端末５を用いてブラウザ等から当該ＵＲＬをクリック等すると（ステップＳ５００）、サーバ１００のＣＰＵ２００にその旨が送信され、ＣＰＵ２００は参加者Ｂの端末５に対して、寄せ書きにメッセージを記入する際におけるログインタイプの選択を促す画面データ（画面データ１１０のひとつ）を送信する（ステップＳ５０２）。
【００５５】
このログインタイプには、例えば、「通常ログインＣ１」、「ワンタイム書き込みＣ２」、および、「幹事による代筆Ｃ３」が考えられる。もちろん、これら以外のタイプで書き込めるようにしてもよい。
【００５６】
＜通常ログインＣ１による書き込み＞
通常ログインＣ１は、サーバ１００のメモリ２０２に記憶されたユーザ情報ＤＢ１０４に格納された各ユーザのログインＩＤやＳＮＳアカウントを用いてログインしたうえで、メッセージの書き込みを行う形式である。もし、参加者Ｂがはじめて寄せ書きシステム１を利用する場合には、通常ログインＣ１の前に、参加者ＢのログインＩＤやＳＮＳアカウントを入力してもらい、ユーザ情報ＤＢ１０４に新しいユーザである参加者Ｂの情報を記入するフレームを追加する必要がある。
【００５７】
参加者Ｂが通常ログインＣ１を選択した場合、ＣＰＵ２００は、ユーザ情報ＤＢ１０４を参照し、現在、参加者Ｂが幹事あるいは招待された参加者として参加している寄せ書き案件ＩＤの有無を確認する。そして、参加者Ｂが参加しているこれら寄せ書きの情報（例えば、幹事の名前、受取人の名前、参加者リスト等）をリスト形式（画面データ１１０のひとつ）にして参加者Ｂの端末５に送信し、どの寄せ書き案件についてメッセージの記入を行いたいのかを参加者Ｂに選択させる（ステップＳ５０４）。
【００５８】
ＣＰＵ２００は、通信インターフェイス２０８を介して、端末５から参加者Ｂがメッセージの記入を行いたい寄せ書き案件の選択結果の情報が送られてきたか否かを判断する（ステップＳ５０６）。端末２から当該情報が送られてこない場合（ステップＳ５０６にてＮＯである場合）、ＣＰＵ２００はステップＳ５０６を繰り返す。
【００５９】
端末５からメッセージの記入を行いたい寄せ書き案件の選択結果が送信されたとき（ステップＳ５０６がＹＥＳとなった場合）、ＣＰＵ２００は、端末５にメッセージを記入するフォーム（画面データ１１０のひとつ）を送信し、参加者Ｂからのメッセージを受け付ける（ステップＳ５０８）。参加者Ｂから送信されたメッセージの内容は、メモリ２０２に記憶された寄せ書き案件情報ＤＢ１０６における当該寄せ書き案件のフレーム内に、参加者Ｂにひも付けされたメッセージ内容として記憶される。
【００６０】
参加者Ｂからのメッセージを受け付けた後、ＣＰＵ２００は、端末５に「メッセージ削除用パスワード」を表示（画面データ１１０のひとつ）する（ステップＳ５１０）。この「メッセージ削除用パスワード」は、参加者Ｂが先に記入したメッセージの内容を削除したくなった場合に必要なパスワードである。メッセージを記入したい寄せ書きを選択するステップＳ５０４の画面において、各寄せ書き案件に「削除ボタン」を用意しておき、先に記入したメッセージを削除したいユーザはこの「削除ボタン」をクリックし、その後、「メッセージ削除用パスワード」を入力することにより、メッセージを削除できるようになっている。
【００６１】
端末５に「メッセージ削除用パスワード」を表示した後、ＣＰＵ２００は、予め幹事が選択した寄せ書き画像データに参加者Ｂが記入したメッセージを配置して、実際に送る寄せ書きと同様の画像（画面データ１１０のひとつ）を端末５に送信する（ステップＳ５１２）。これにより、参加者Ｂは、自身が記入したメッセージが寄せ書きの中でどのように表示されるのかを確認することができる。
【００６２】
上述した確認用画像の送信をもって、参加者によるメッセージ記入ステップ（Ｓ３２０）は終了する。
【００６３】
なお、ステップＳ３０４にて、参加者Ａが「新規の寄せ書き案件を作成しない」、すなわち、他のユーザが幹事となっている別の寄せ書き案件に招待されて参加する場合（ステップＳ３０４にてＮＯを選択した場合）、参加者によるメッセージ記入ステップ（Ｓ３２０）における、参加者Ａがどの寄せ書き案件についてメッセージの記入を行いたいのかを選択させるステップ（ステップＳ５０４）に移行する。参加者Ａは、既にログインＩＤやＳＮＳアカウントを用いてサーバ１００にログインしていることから（ステップＳ３００）、ＣＰＵ２００は、ユーザ情報ＤＢ１０４を参照して、参加者Ａが参加している寄せ書き案件を特定することができる。
【００６４】
＜ワンタイム書き込みＣ２による書き込み＞
ワンタイム書き込みＣ２は、参加者Ｃがサーバ１００にログインすることなくメッセージを書き込む形式である。参加者Ｃがワンタイム書き込みＣ２を選択すると、ＣＰＵ２００は、参加者Ｃの端末７に対してメッセージを記入するフォーム（画面データ１１０のひとつ）を送信し、参加者Ｃからのメッセージを受け付ける（ステップＳ５０８）。参加者Ｃから送信されたメッセージの内容は、メモリ２０２に記憶された寄せ書き案件情報ＤＢ１０６における当該寄せ書き案件のフレーム内にメッセージ内容として記憶される。ただし、上述のように、ワンタイム書き込みＣ２では、参加者Ｃはサーバ１００にログインしていないので、ＣＰＵ２００は参加者Ｃを特定できず、参加者Ｃが記入したメッセージと参加者Ｃとのひも付けは行われない。
【００６５】
参加者Ｃからのメッセージを受け付けた後、ＣＰＵ２００は、端末７に「メッセージ削除用パスワード」を表示（画面データ１１０のひとつ）する（ステップＳ５１０）。この「メッセージ削除用パスワード」は、参加者Ｃが先に記入したメッセージの内容を削除したくなった場合に必要なパスワードである。参加者Ｃの端末７に送信されるメッセージを記入するフォームには「削除ボタン」が付加されており、先に記入したメッセージを削除したいユーザはこの「削除ボタン」をクリックし、その後、「メッセージ削除用パスワード」を入力することにより、メッセージを削除できるようになっている。
【００６６】
端末７に「メッセージ削除用パスワード」を表示した後、ＣＰＵ２００は、予め幹事が選択した寄せ書き画像データに参加者Ｃが記入したメッセージを配置して、実際に送る寄せ書きと同様の画像（画面データ１１０のひとつ）を端末７に送信する（ステップＳ５１２）。これにより、参加者Ｃは、自身が記入したメッセージが寄せ書きの中でどのように表示されるのかを確認することができる。
【００６７】
上述した確認用画像の送信をもって、参加者によるメッセージ記入ステップ（Ｓ３２０）は終了する。
【００６８】
＜幹事による代筆Ｃ３による書き込み＞
幹事による代筆Ｃ３は、参加者Ｄがサーバ１００とのやりとりを全くすることなく、メール等を用いて幹事へ直接メッセージを送付することで寄せ書きに参加する形式である。メール等で参加者Ｄからメッセージを受け取った幹事（参加者Ａ）は、メッセージ記入ステップ（Ｓ３２０）に入り、参加者Ａが幹事として参加している寄せ書き案件を選択することにより、自身のメッセージに加えて、参加者Ｄの名前で別のメッセージを記入することができるようになっている。
【００６９】
＜その他の応用例＞
本発明は、上述したようなサーバクライアントシステムだけではなく、各端末にプログラムを供給することによっても達成できることはいうまでもない。そして、本発明を達成するためのソフトウェアによって表されるプログラムを格納した記憶媒体（あるいはメモリ）を、システム或いは装置に供給し、そのシステム或いは装置のコンピュータ（又はＣＰＵやＭＰＵ）が記憶媒体に格納されたプログラムコードを読出し実行することによっても、本発明の効果を享受することが可能となる。
【００７０】
また、寄せ書きを受けとった受取人が寄せ書きの参加者にお礼のコメントを送信できるようにしてもよい。具体的にいえば、ステップＳ３２６で送信する寄せ書きの画像データに、受取人がお礼のコメントを記入することができるＵＲＬを付加しておく。お礼のコメントを送りたい受取人は、当該ＵＲＬをブラウザ等で開くことによりサーバ１００から送信されるお礼のコメントフォーム（画面データ１１０のひとつ）に記入する。記入されたお礼のコメントは、寄せ書き案件情報ＤＢ１０６に蓄積された対応する寄せ書き案件ＩＤにひも付けされた参加者リストに基づいて、各参加者のアドレス等に送信される。
【００７１】
さらに、１つの寄せ書き案件に参加する人数に応じて、各参加者によるメッセージの位置や大きさを自動的に調節する機能をサーバ１００に付加してもよい。例えば、同じ寄せ書き画像データを使用する場合であっても、参加者が３名の場合と、１０名の場合とでは、各メッセージの最適な位置や大きさは異なる。もちろん、寄せ書き画像データが異なれば、最適なメッセージの位置や大きさも異なる。そこで、各寄せ書き画像データに、参加者の人数に応じた最適なメッセージの位置や大きさの情報を付加しておき、参加者の人数に応じて最適な見栄えのよい寄せ書きを作成できるようにするのが好適である。
【００７２】
加えて、各メッセージの位置や大きさの最適化を考えると、必然的に、各寄せ書き画像データ１枚に書き込むことのできるメッセージ数の上限が決まってくる（参加者の「定員」ともいえる）。そこで、各寄せ書き画像データに参加者の「定員」を設定し、万一、定員以上の参加者が集まった場合には、参加者を複数の寄せ書き画像に分けることをメール等で幹事に促すことが好適である。もちろん、幹事に促すことなく、自動的に参加者を複数の寄せ書き画像に分けるようにしてもよい。
【００７３】
また、ユーザ情報ＤＢ１０４には、各ユーザのアイコン写真も記憶されているので、寄せ書きにおける各参加者のメッセージの近くに当該参加者のアイコン写真を付加するようにしてもよい。さらに、寄せ書きシステム１のユーザではない参加者からもアイコン写真を受け付けるようにすることも考えられる。
【００７４】
また、受取人に寄せ書きを発信した後、当該寄せ書きの参加者がサーバ１００にログインすることによって、過去に発信した寄せ書き画像をＷＥＢ上で閲覧したり、ＰＤＦデータとして受け取ったり、あるいは、寄せ書き画像を印刷した色紙等を郵便で受け取ったりできるようにしてもよい。
【００７５】
今回開示された実施形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００７６】
１…寄せ書きシステム、２、５、７、９…端末、１００…サーバ、１０４…ユーザ情報ＤＢ、１０６…寄せ書き案件情報ＤＢ、１０８…寄せ書き画像データ、１１０…画面データ、２００…ＣＰＵ、２０２…メモリ、２０４…ディスプレイ、２０６…ポインティングデバイス、２０８…通信インターフェイス
【図１】
2015133000.tif 000003
【図２】
2015133000.tif 000004
【図３】
2015133000.tif 000005
【図４】
2015133000.tif 000006
【図５】
2015133000.tif 000007
【図６】
2015133000.tif 000008
【図７】
2015133000.tif 000009